(57)【要約】【課題】深さ寸法よりも長い蓋体を備えた段ボール箱を確実に支持することができ、作業性および取り扱い性を向上させることのできる段積み用治具を提供する。【解決手段】段ボール箱５０の深さに対して、蓋体５３の長さ寸法が長い段ボール箱５０に対して、各角部５１に装着して蓋体５３を開いた状態に保持する段積み用治具１０であって、断面形状Ｌ字状に折曲形成され角部５１の外側を被覆する支柱部材１１と、外壁部１４と内壁部１６とを支持部１５で連結し、断面形状コ字状に形成された補強部材１３とを備え、段ボール箱５０の蓋体５３を外方に折り曲げて段ボール箱５０の各角部５１の上方に補強部材１３を差し込んだ状態で、補強部材１３の支持部１５から支柱部材１１の先端までの長さ寸法は、段ボール箱５０の深さ寸法よりも長く、蓋体５３と同等以上の長さを有する。【選択図】図２
2018127237.tif 000002
【特許請求の範囲】
【請求項１】
段ボール箱の深さ寸法に対して、蓋体の長さ寸法が長い段ボール箱の各角部に装着して前記蓋体を開いた状態に保持する段積み用治具であって、
断面形状Ｌ字状に折曲形成され前記角部の外側を被覆する支柱部材と、外壁部と内壁部とを支持部で連結し、断面形状コ字状に形成された補強部材とを備え、
前記段ボール箱の蓋体を外方に折り曲げて前記段ボール箱の各角部の上方に前記補強部材を差し込んだ状態で、前記補強部材の前記支持部から前記支柱部材の先端までの長さ寸法は、前記段ボール箱の深さ寸法よりも長く、前記蓋体と同等以上の長さを有することを特徴とする段積み用治具。
【請求項２】
前記支柱部材の前記角に対応する位置の外方に、前記各支柱部材を結束する結束部を設けたことを特徴とする請求項１に記載の段積み用治具。
【請求項３】
前記結束部は、穴状に形成され、前記結束部に結束部材を挿通させ、前記結束部材と前記各支柱部材とを一体に構成したことを特徴とする請求項２に記載の段積み用治具。
【請求項４】
前記結束部材は、紐状部材であることを特徴とする請求項３に記載の段積み用治具。
【請求項５】
前記結束部材に、締め付け部材を設けたことを特徴とする請求項３に記載の段積み用治具。
【請求項６】
前記結束部材の端部に、フックを設けたことを特徴とする請求項３に記載の段積み用治具。
【発明の詳細な説明】
【技術分野】
【０００１】
本発明は段積み用治具に係り、特に、深さ寸法よりも長い蓋体を備えた段ボール箱を確実に支持することをその長さ寸法可能とした段積み用治具に関する。
【背景技術】
【０００２】
従来から、例えば、自動車の生産ライン等のように、各種の部品を組み付けながら、最終製品を製造するラインにおいては、部品が段ボール箱に梱包された状態で納入され、各種部品は段ボール箱に入った状態でラインサイドに提供されている。
このような場合、段ボール箱の蓋体を開いた状態で作業を行うことになるため、
蓋体が邪魔であり、作業性を損なうという問題があった。
【０００３】
このような問題を解決するため、従来から、例えば、本体面と押さえ面とを備えた治具を、段ボール箱の角部に装着することにより、段ボール箱の蓋体を開いた状態に保持することができるようにした技術が開示されている（例えば、特許文献１を参照）。
また、その他の技術として、例えば、段ボール箱の角部にコーナー接続具を装着することにより、段ボール箱の隣接する側板同士を接続して、段ボール箱を形成維持するようにした技術が開示されている（例えば、特許文献２を参照）。
【先行技術文献】
【特許文献】
【０００４】
【特許文献１】実開昭５８−１０２４１８号公報
【特許文献２】実開昭５９−０６４７２８号公報
【発明の概要】
【発明が解決しようとする課題】
【０００５】
しかしながら、前記特許文献１では、段ボール箱の上部角部のみに治具を装着する構造であるため、例えば、蓋体の長さ寸法が段ボール箱の側板の深さ寸法より長く形成されている場合、段ボール箱を蓋体のみで支持することになり、非常に不安定で、作業性を損なうとともに、安全性にも問題があった。
また、特許文献２では、蓋体が存在しない構造なので、段ボール箱のみでの梱包が不可能であり、部品が梱包された段ボール箱から部品を移し替える必要があり、非常に手間がかかり、生産性の低下を招くという問題があった。
いずれの技術においても、蓋体の長さ寸法が段ボール箱の深さ寸法よりも長い段ボール箱の場合、蓋体の一部を切り取る等する必要があり、作業効率の低下を招くという問題がある。
さらに、特許文献１のように、治具により蓋体を開いた状態に保持できたとしても、蓋体の復帰力により治具が外れるおそれもある。また、各治具が別体としてに構成されているので、作業現場において、治具が紛失したりするおそれもあり、取り扱い性が悪いという問題もある。
本発明は、前記した事情に鑑みてなされたものであり、深さ寸法よりも長い蓋体を備えた段ボール箱を確実に支持することができ、作業性および取り扱い性を向上させることのできる段積み用治具を提供することを目的とする。
【課題を解決するための手段】
【０００６】
前記目的を達成するため、本発明は、段ボール箱の深さに対して、蓋体の長さ寸法が長い段ボール箱の各角部に装着して前記蓋体を開いた状態に保持する段積み用治具であって、断面形状Ｌ字状に折曲形成され前記角部の外側を被覆する支柱部材と、外壁部と内壁部とを支持部で連結し、断面形状コ字状に形成された補強部材とを備え、前記段ボール箱の蓋体を外方に折り曲げて前記段ボール箱の各角部の上方に前記補強部材を差し込んだ状態で、前記補強部材の前記支持部から前記支柱部材の先端までの長さ寸法は、前記段ボール箱の深さ寸法よりも長く、前記蓋体と同等以上の長さを有することを特徴とする。
本発明によれば、補強部材の支持部から支柱部材の先端までの長さ寸法が、段ボール箱の深さ寸法よりも長く、蓋体と同等以上の長さを有するように形成されているので、蓋体のみにより段ボール箱を支持することがなく、段積み用治具の支柱部材により段ボール箱を確実に支持することができる。
【０００７】
また、本発明は、前記支柱部材の前記角に対応する位置の外方に、前記各支柱部材を結束する結束部を設けたことを特徴とする。
本発明によれば、結束部を設けたので、結束部に結束部材を挿通させて結束部材により段積み用治具を締め付けることで、段積み用治具を固定することができる。
【０００８】
また、本発明は、前記結束部は、穴状に形成され、前記結束部に結束部材を挿通させ、前記結束部材と前記各支柱部材とを一体に構成したことを特徴とする。
本発明によれば、結束部材と各支柱部材とを一体に構成したので、各段積み用治具を一体的に取り扱うことができ、各段積み用治具がばらばらにならず、取り扱い性を向上させることが可能となる。
【０００９】
また、本発明は、前記結束部材は、紐状部材であることを特徴とする。
本発明によれば、結束部材を紐状部材としたので、ねじれを考慮する必要がなく、取り扱い性および締め付け性を向上させることができる。
【００１０】
また、本発明は、前記結束部材に、締め付け部材を設けたことを特徴とする。
本発明によれば、結束部材に、締め付け部材を設けたので、簡単な操作により、紐状部材を強固に締め付けることができ、作業性を向上させることができる。
【００１１】
また、本発明は、前記結束部材の端部に、フックを設けたことを特徴とする。
本発明によれば、結束部材の端部に、フックを設けたので、締め付けられた紐状部材にフックを引っかけることにより、余分な紐状部材の垂れ下がりを防止することができ、紐状部材が邪魔にならず、安全性や作業性の向上を図ることができる。
【発明の効果】
【００１２】
本発明によれば、蓋体のみにより段ボール箱を支持することがなく、段積み用治具の支柱部材により段ボール箱を確実に支持することができる。その結果、部品が梱包された段ボール箱を部品容器としてそのまま活用することができ、部品の入れ替え作業も不要となり、作業効率を向上させることができる。また、容器の再利用も可能となる。
【図面の簡単な説明】
【００１３】
【図１】本実施形態における段積み用治具を示す正面図である。
【図２】本実施形態の段積み用治具を示す斜視図である。
【図３】図２の補強部材部分の拡大図である。
【図４】本実施形態の段積み用治具を一体化した状態を示す説明図である。
【図５】本実施形態の段積み用治具の使用状態を示す斜視図である。
【図６】段ボール箱の納入から使用状態に至るまでの形態を示す図である。
【発明を実施するための形態】
【００１４】
以下、本発明の実施形態について図面を参照して説明する。
図１は本実施形態における段積み用治具を示す正面図である。図２は、本実施形態の段積み用治具を示す斜視図である。図３は、図２の補強部材部分の拡大図である。図４は、本実施形態の段積み用治具を一体化した状態を示す説明図である。図５は、本実施形態の段積み用治具の使用状態を示す斜視図である。図６は、段ボール箱の納入から使用状態に至るまでの形態を示す図である。
図１、図２および図５に示すように、段積み用治具１０は、支柱部材１１を備えている。支柱部材１１は、段ボール箱５０の角部５１における各側板５２にそれぞれ当接する２つの平面部１２を備えており、支柱部材１１は全体として断面形状略Ｌ字状に形成されている。
【００１５】
支柱部材１１の一端には、補強部材１３が一体に形成されている。補強部材１３は、支柱部材１１の平面部１２の幅寸法より、わずかに長い幅寸法を有するとともに、平面部１２の厚さ寸法よりわずかに厚い厚さ寸法を有する外壁部１４を備えている。
また、外壁部１４の内面には、内面に対して略直角に突出する支持部１５が形成されている。
支持部１５の先端部には、外壁部１４に対して所定間隙を有し、外壁部１４と略平行に延在する内壁部１６が一体に形成されている。
外壁部１４、支持部１５および内壁部１６は、側面視で略コ字状に形成されている。
【００１６】
外壁部１４の内面と、内壁部１６の内面との間隙寸法は、段ボール箱５０の蓋体５３を段ボール箱５０の側板５２に当接するまで開くように折曲した状態の厚さ寸法、すなわち、段ボール箱５０の側板５２の厚さ寸法および蓋体５３の厚さ寸法を合計した寸法とほぼ同等の寸法に形成されている。
また、支持部１５の内面から支柱部材１１の先端までの長さ寸法は、段ボール箱５０の深さ寸法より長く、かつ、蓋体５３の長さ寸法以上の長さに形成されている。
【００１７】
また、図２および図３に示すように、外壁部１４の内面には、断面形状が鋭角状に形成された複数（本実施形態においては、３つ）の返り部１７が外壁部１４の幅方向に延在するように突出形成されている。
さらに、支柱部材１１の長さ方向略中間部分であって、段ボール箱５０の角部５１に対応する位置、すなわち、支柱部材１１の角部１９近傍には、各平面部１２に形成された結束部としての結束用穴部１８が形成されている。
なお、結束用穴部１８は、支柱部材１１の外側に突出して形成するようにしてもよい。
【００１８】
段積み用治具１０は、例えば、ポリプロピレン等の樹脂材料により一体成形されている。樹脂材料を用いることにより、段ボール箱５０を支持するために十分な強度は確保できる。
もちろん、例えば、樹脂以外の金属材料等で形成するようにしてもよいが、樹脂材料の方が、成型性、軽量化に優れているため、より好ましい。
【００１９】
前述のように構成された段積み用治具１０は、段ボール箱５０のそれぞれの角部５１に装着されるため、４つの段積み用治具１０を１組として構成されている。
本実施形態においては、図４に示すように、各段積み用治具１０の結束用穴部１８には、結束部材としての１本の紐状部材２０が挿通されている。
このように４つの段積み用治具１０の結束用穴部１８に紐状部材２０を挿通させることにより、４つの段積み用治具１０を一体的に取り扱うことができ、各段積み用治具１０がばらばらにならず、取り扱い性を向上させることが可能となる。
また、紐状部材２０は、各支柱部材１１の一方の結束用穴部１８に対して外側から挿入され、支柱部材１１の角部１９内側を通って他方の結束用穴部１８から外側に抜けるように挿通される。
【００２０】
これにより、段積み用治具１０を段ボール箱５０の各角部５１に装着して、紐状部材２０により締め付けた際に、各支柱部材１１の各平面部１２を外側から押さえるようにして締め付けることが可能となる。
紐状部材２０としては、例えば、周知のロープ等いずれのものを適用するようにしてもよい。また、紐状部材２０は、例えば、伸縮性を有するものを適用してもよい。
さらに、紐状部材２０は、例えば、断面形状丸型のものを適用してもよいし、断面形状平坦状のものを適用してもよい。ただし、断面形状丸型のものは、ねじれを考慮する必要がないので、より好適である。
【００２１】
紐状部材２０の端部には、紐状部材２０の両端部を連結して紐状部材２０を締め付けるための締め付け部材２１が取り付けられている。締め付け部材２１としては、例えば、ラチェット機構を用いたものが好適である。
ラチェット機構は、紐状部材２０を挿通させた場合、紐状部材２０の締め付け方向には回転するが、ラチェット機構を開放するまで逆方向には回転しない構造であるため、紐状部材２０を引っ張るだけで、容易に紐状部材２０の締め付けを行うことができる。特に、ラチェット機構を用いた場合、締め付け力が強いので、各段積み用治具１０を強固に固定することが可能となる。
この場合に、紐状部材２０を締め付けた際に、紐状部材２０の先端部が余ることがあるため、紐状部材２０の先端部に、フック２２を取り付けることが好ましい。
このように構成すれば、締め付けられた紐状部材２０にフック２２を引っかけることにより、余分な紐状部材２０の垂れ下がりを防止することができる。そのため、紐状部材２０が邪魔にならず、安全性や作業性の向上を図ることができる。
なお、締め付け部材２１は、ラチェット機構を用いたものに限定されるものではなく、例えば、紐状部材２０を挿通させたバックルや紐状部材２０を任意の箇所で固定することができる自在金具等、紐状部材２０の締め付けが可能であれば、いずれの部材を用いてもよい。
【００２２】
次に、本実施形態の作用について、説明する。
まず、段積み用治具１０を装着する手順について説明する。
図６に示すように、通常、製造に必要な部品は、段ボール箱５０に梱包された状態で納入される。
そして、部品を使用する場合は、段ボール箱５０の蓋体を開包し、段ボール箱５０の蓋体５３を、蓋体５３が段ボール箱５０の側板５２に当接するまで開く。
この状態では、蓋体５３の長さ寸法が段ボール箱５０の深さ寸法よりも長く形成されている場合、蓋体５３の先端部（蓋体５３を開いたときの下端部）が段ボール箱５０の底部より低い位置にあるので、蓋体５３のみで段ボール箱５０を支持することになり、段ボール箱５０を安定して支持することは極めて困難となる。
【００２３】
そこで、本実施形態においては、段ボール箱５０の蓋体５３を、蓋体５３が段ボール箱５０の側板５２に当接するまで開いた状態で、各段積み用治具１０を段ボール箱５０の角部５１上方から差し込む。段積み用治具１０を差し込むことにより、補強部材１３の外壁部１４が段ボール箱５０の角部５１外側に位置するとともに、内壁部１６が段ボール箱５０の角部５１内側に位置することになり、外壁部１４と内壁部１６とにより、段ボール箱５０の側板５２と蓋体５３とが重ねた状態に保持される。
この場合に、外壁部１４に形成した返り部１７が段ボール箱５０の外面に食い込み、段積み用治具１０を段ボール箱５０に固定することができる。
【００２４】
その後、図５に示すように、紐状部材２０の締め付け部材２１により、紐状部材２０を段ボール箱５０の外側から締め付けることにより、段ボール箱５０の角部５１に対して各段積み用治具１０が強固に固定される。
このときに、補強部材１３の支持部１５から支柱部材１１の先端までの長さ寸法が、段ボール箱５０の深さ寸法よりも長く、蓋体５３と同等以上の長さを有するように形成されているので、蓋体５３のみにより段ボール箱５０を支持することがなく、段積み用治具１０の支柱部材１１により段ボール箱５０を確実に支持することができる。
また、段ボール箱５０の底部は、通常、例えば、ガムテープや金具（ステープル）等で強固に固定されているため、蓋体５３の長さ寸法が段ボール箱５０の深さ寸法より長く、段ボール箱５０の底部が床面から浮いた状態でも、段ボール箱５０の底部が抜けてしまうことはない。
【００２５】
また、段ボール箱５０の外側を紐状部材２０により締め付けるようにしているので、蓋体５３が元に戻ろうとする復帰力を押さえることができ、段ボール箱５０に対して段積み用治具１０を確実に保持することができる。
【００２６】
また、図５に示すように、段ボール箱５０を重ねる場合には、段ボール箱５０に各段積み用治具１０を装着して、上段側の段積み用治具１０の下部を、下段側の段積み用治具１０の支持部１５の上面に載置すればよい。
これにより、各段ボール箱５０を段積み用治具１０により支持することが可能となり、段ボール箱５０の側板５２や蓋体５３等に上段側の段ボール箱５０の荷重が加わることを防止することができる。
【００２７】
また、段ボール箱５０には、種々のサイズのものが存在する。
そのため、使用される段ボール箱５０の高さ寸法に対応して、最も大きいサイズの段ボール箱５０に使用できるように、最も大きいサイズの段ボール箱５０の高さ寸法に対応して、段積み用治具１０の長さ寸法を設定すればよい。
この場合に、１つの寸法の段積み用治具１０を用いるようにしてもよいし、段ボール箱５０のサイズに合わせた複数の段積み用治具１０を用意するようにしてもよい。さらに、最も大きいサイズの段ボール箱５０に合わせた長さ寸法を有する段積み用治具１０のみを用意し、段ボール箱５０のサイズに合わせて、段積み用治具１０の支柱部材１１を切断加工することで、利用するようにしてもよい。
【００２８】
また、段ボール箱５０のサイズに応じて、段ボール箱５０の全周も変わってくるが、最も大きいサイズの段ボール箱５０の全周に対応することができるように、紐状部材２０の長さ寸法を設定するようにすればよい。
本実施形態においては、紐状部材２０にフック２２を設けるようにしているので、余った紐状部材２０が邪魔になることはない。
【００２９】
以上説明したように、本発明を適用した実施形態においては、断面形状Ｌ字状に折曲形成され角部５１の外側を被覆する支柱部材１１と、外壁部１４と内壁部１６とを支持部１５で連結し、断面形状コ字状に形成された補強部材１３とを備え、段ボール箱５０の蓋体５３を外方に折り曲げて段ボール箱５０の各角部５１の上方に補強部材１３を差し込んだ状態で、補強部材１３の支持部１５から支柱部材１１の先端までの長さ寸法は、段ボール箱５０の深さ寸法よりも長く、蓋体５３と同等以上の長さを有する。
これによれば、補強部材１３の支持部１５から支柱部材１１の先端までの長さ寸法が、段ボール箱５０の深さ寸法よりも長く、蓋体５３と同等以上の長さを有するように形成されているので、蓋体５３のみにより段ボール箱５０を支持することがなく、段積み用治具１０の支柱部材１１により段ボール箱５０を確実に支持することができる。その結果、部品が梱包された段ボール箱５０を部品容器としてそのまま活用することができ、部品の入れ替え作業も不要となり、作業効率を向上させることができる。また、容器の再利用も可能となった。
【００３０】
また、本実施形態においては、支柱部材１１の角部１９に対応する位置の外方に、各支柱部材１１を結束する結束部を設けた。
これによれば、結束用穴部１８（結束部）を設けたので、結束用穴部１８に結束部材を挿通させて結束部材により段積み用治具１０を締め付けることで、段積み用治具１０を固定することができる。
【００３１】
また、本実施形態においては、結束部は、穴状に形成され、結束部に結束部材を挿通させ、結束部材と各支柱部材１１とを一体に構成した。
これによれば、結束部材と各支柱部材１１とを一体に構成したので、各段積み用治具１０を一体的に取り扱うことができ、各段積み用治具１０がばらばらにならず、取り扱い性を向上させることが可能となる。
【００３２】
また、本実施形態においては、結束部材は、紐状部材２０である。
これによれば、結束部材を紐状部材２０としたので、ねじれを考慮する必要がなく、取り扱い性および締め付け性を向上させることができる。
【００３３】
また、本実施形態においては、紐状部材２０（結束部材）に、締め付け部材２１を設けた。
これによれば、紐状部材２０に、締め付け部材２１を設けたので、
簡単な操作により、紐状部材２０を強固に締め付けることができ、作業性を向上させることができる。
【００３４】
また、本実施形態においては、紐状部材２０（結束部材）の端部に、フック２２を設けた。
これによれば、紐状部材２０の端部に、フック２２を設けたので、締め付けられた紐状部材２０にフック２２を引っかけることにより、余分な紐状部材２０の垂れ下がりを防止することができ、紐状部材２０が邪魔にならず、安全性や作業性の向上を図ることができる。
【００３５】
なお、前記実施の形態は本発明を適用した一態様を示すものであって、本発明は前記実施の形態に限定されるものではなく、本発明の趣旨を逸脱しない範囲で種々変更が可能である。
例えば、前記実施形態においては、結束部として、結束用穴部１８を形成するようにしたが、結束部として、穴部ではなく、支柱部材１１の角部１９外面を面取りして凹状に形成するようにしてもよい。この場合には、結束部材として、例えば、ゴムバンドやマジックテープ（登録商標）等を用い、凹状の結束部に結束部材をはめ込むことにより、段積み用治具１０を段ボール箱５０の角部５１に締め付けて固定するようにしてもよい。
【符号の説明】
【００３６】
１０  段積み用治具
１１  支柱部材
１２  平面部
１３  補強部材
１４  外壁部
１５  支持部
１６  内壁部
１７  返り部
１８  結束用穴部
１９  角部
２０  紐状部材
２１  締め付け部材
２２  フック
５０  段ボール箱
５１  角部
５２  側板
５３  蓋体
【図１】
2018127237.tif 000003
【図２】
2018127237.tif 000004
【図３】
2018127237.tif 000005
【図４】
2018127237.tif 000006
【図５】
2018127237.tif 000007
【図６】
2018127237.tif 000008